(57)【要約】【課題】ペットの病気（眼振や斜頚等）の症状を改善できる磁気を利用したペット治療方法およびこの治療方法に適したペット治療用磁気治療器を提供する。【解決手段】ペットに対して磁気による治療を行うための磁気治療器２０であって、ペットを載せる本体２２と、本体２２に設けられた、磁気を発生する磁気発生手段とからなり、磁気発生手段は、その両極を結ぶ軸が放射状に並ぶように配置された複数の磁気発生器２１を備えており、隣接する磁気発生器２１における隣接する磁極21aが、互いに逆の磁性を有している。複数の磁気発生器２１によって囲まれた領域Ａにおける磁場を強くすることができるから、磁気を印加したい部位に対して、強い磁気を印加することができる。しかも、磁場が存在する領域Ａ２を広くすることができるので、動物が動き回っても、磁気を印加したい部位に対して磁気を印加できる可能性が高くなる。【選択図】図１
2011036633.tif 000002
【特許請求の範囲】
【請求項１】
ペットに対して磁気による治療を行うための磁気治療器であって、
ペットを載せる本体と、
該本体に設けられた、磁気を発生する磁気発生手段とからなり、
該磁気発生手段は、
その両極を結ぶ軸が放射状に並ぶように配置された複数の磁気発生器を備えており、
隣接する磁気発生器における隣接する磁極が、互いに逆の磁性を有している
ことを特徴とするペット治療用磁気治療器。
【請求項２】
前記磁気発生器が、交流磁場を発生させるものであり、
前記磁気発生手段は、
前記複数の磁気発生器において、隣接する磁気発生器における隣接する磁極同士が互いに逆磁性となるように制御する制御回路を備えている
ことを特徴とする請求項１記載のペット治療用磁気治療器。
【請求項３】
前記磁気発生手段は、
両極を結ぶ軸が放射状に並ぶように配置された複数の磁気発生器からなる磁気発生ユニットを複数備えており、
該複数の磁気発生ユニットは、
隣接する磁気発生ユニットの隣接する磁気発生器における隣接する磁極同士が、互いに逆磁性となるように配置されている
ことを特徴とする請求項１または２記載のペット治療用磁気治療器。
【請求項４】
眼振または斜頸の症状を有する動物に使用する
ことを特徴とする請求項１、２または３記載のペット治療用磁気治療器。
【請求項５】
請求項１、２または３記載のペット治療用磁気治療器によって磁場を形成し、
該磁場内に動物を配置させる
ことを特徴とする磁気を利用したペット治療方法。
【請求項６】
前記動物が、眼振または斜頸の症状を有するものである
ことを特徴とする請求項５記載の磁気を利用したペット治療方法。
【請求項７】
前記動物が、後肢麻痺の症状を有するものである
ことを特徴とする請求項５記載の磁気を利用したペット治療方法。
【請求項８】
前記動物が、ヘルニアの症状を有するものである
ことを特徴とする請求項５記載の磁気を利用したペット治療方法。
【請求項９】
磁気発生手段が、交流磁場を発生させるものである
ことを特徴とする請求項５、６、７または８記載の磁気を利用したペット治療方法。
【発明の詳細な説明】
【技術分野】
【０００１】
本発明は、磁気を利用したペット治療方法およびペット治療用磁気治療器に関する。
【背景技術】
【０００２】
磁気治療器は、従来、磁場を人体等に印加することにより、血行を改善したり、血行の悪化に起因する筋肉のコリをほぐしたりする効果等を得るために使用されている。
【０００３】
一方、磁気治療器を他の症状の改善に使用することも試みられている。
例えば、特許文献１には、磁気治療器として、裏面部に、粘着剤を介して剥離紙が貼着された円形状の合成樹脂シ−トに、複数個の円盤状の永久磁石を、一定の間隔を有して埋め込んだものが開示されている。そして、この磁気治療器を腰に貼り付ければ、静磁場の作用により、変形性脊椎症や変形性腰椎症といった骨の脆弱化、変形によって生じる腰痛が緩和される旨の記載がある。例えば、特許文献１の実施例１には、磁気治療器により、椎間板ヘルニアの症状が改善された旨が記載されている。
【０００４】
しかるに、特許文献１の技術は、あくまで各症状から発生する痛みを改善するものにすぎない。つまり、これまでと同様に、血行促進効果を得ることにより各症状の痛みを緩和しているにすぎず、磁気による各症状の治療効果を証明したものではない。
【０００５】
一方、犬や猫、うさぎ等のペットも様々な病気に罹患することがあり、かかる病気の治療が行われているが、ペット等について磁気による各種病気の治療効果を試験した例はほとんどない。
また、かかるペット等の磁気治療に適した治療器具も現在のところ見当たらない。
【先行技術文献】
【特許文献】
【０００６】
【特許文献１】特開平１０−５７５１０号公報
【発明の概要】
【発明が解決しようとする課題】
【０００７】
本発明は上記事情に鑑み、ペットの病気（眼振や斜頚等）の症状を改善できる磁気を利用したペット治療方法およびこの治療方法に適したペット治療用磁気治療器を提供することを目的とする。
【課題を解決するための手段】
【０００８】
（ペット治療用磁気治療器）
第１発明のペット治療用磁気治療器は、動物に対して磁気による治療を行うための磁気治療器であって、ペットを載せる本体と、該本体に設けられた、磁気を発生する磁気発生手段とからなり、該磁気発生手段は、その両極を結ぶ軸が放射状に並ぶように配置された複数の磁気発生器を備えており、隣接する磁気発生器における隣接する磁極が、互いに逆の磁性を有していることを特徴とする。
第２発明のペット治療用磁気治療器は、第１発明において、前記磁気発生器が、交流磁場を発生させるものであり、前記磁気発生手段は、前記複数の磁気発生器において、隣接する磁気発生器における隣接する磁極同士が互いに逆磁性となるように制御する制御回路を備えていることを特徴とする。
第３発明のペット治療用磁気治療器は、第１または第２発明において、前記磁気発生手段は、両極を結ぶ軸が放射状に並ぶように配置された複数の磁気発生器からなる磁気発生ユニットを複数備えており、該複数の磁気発生ユニットは、隣接する磁気発生ユニットの隣接する磁気発生器における隣接する磁極同士が、互いに逆磁性となるように配置されていることを特徴とする。
第４発明のペット治療用磁気治療器は、第１、第２または第３発明において、眼振または斜頸の症状を有する動物に使用することを特徴とする。
（ペット治療方法）
第５発明の磁気を利用したペット治療方法は、第１、第２または第３発明のペット治療用磁気治療器によって磁場を形成し、該磁場内に動物を配置させることを特徴とする。
第６発明の磁気を利用したペット治療方法は、第５発明において、前記動物が、眼振または斜頸の症状を有するものであることを特徴とする。
第７発明の磁気を利用したペット治療方法は、第５発明において、前記動物が、後肢麻痺の症状を有するものであることを特徴とする。
第８発明の磁気を利用したペット治療方法は、第５発明において、前記動物が、ヘルニアの症状を有するものであることを特徴とする。
第９発明の磁気を利用したペット治療方法は、第５、第６、第７または第８発明において、磁気発生手段が、交流磁場を発生させるものであることを特徴とする。
【発明の効果】
【０００９】
第１発明によれば、複数の磁気発生器によって囲まれた領域における磁場を強くすることができるから、磁気を印加したい部位に対して、強い磁気を印加することができる。しかも、磁場が存在する領域を広くすることができるので、動物が動き回っても、磁気を印加したい部位に対して磁気を印加できる可能性が高くなる。
第２発明によれば、交流磁場を使用するので、磁場の変化による刺激を動物に与えることができる。
第３発明によれば、磁場が存在する領域をより一層広くすることができるので、動物が動き回っても、磁気を印加したい部位に対して磁気を印加できる可能性をより高くすることができる。
第４発明によれば、イヌや猫、ウサギなどの動物について、原因を特定されていない眼振や斜頸等の病気の症状を改善させることができる。
（ペット治療方法）
第５発明によれば、磁気を動物に印加することができるので、磁気の影響による治療効果をえることができる。
第６発明によれば、イヌや猫、ウサギなどの動物について、原因を特定されていない眼振や斜頸等の病気の症状を改善させることができる。
第７発明によれば、イヌや猫、ウサギなどの動物について、後肢麻痺の症状を改善させることができる。
第８発明によれば、イヌや猫、ウサギなどの動物について、ヘルニアの症状を改善させることができる。
第９発明によれば、交流磁場を使用するので、磁場の変化による刺激を動物に与えることができる。
【図面の簡単な説明】
【００１０】
【図１】本発明のペット治療用磁気治療器２０による治療状況の概略説明図である。
【図２】本実施形態のペット治療用磁気治療器２０の一例を示した図である。
【図３】本実施形態のペット治療用磁気治療器２０の概略説明図であって、（Ａ）は磁気発生器２１の配置を示した概略平面図であり、（Ｂ）は（Ａ）のＢ−Ｂ線概略断面図である。
【図４】磁気発生器２１の配置を変更した本実施形態のペット治療用磁気治療器２０の概略説明図である。
【図５】制御回路の概略説明図である。
【図６】磁場形成実験を行ったときにおける磁気発生器の配置を示した図である。
【図７】磁場形成実験によって形成された磁場の写真である。
【図８】磁場形成実験によって形成された磁場の写真である。
【図９】治療結果を示した表である。
【図１０】治療結果を示した表である。
【図１１】治療結果を示した表である。
【発明を実施するための形態】
【００１１】
つぎに、本発明の実施形態を図面に基づき説明する。
図１には、本発明の磁気を利用したペット治療方法を実施する装置の一例を示している。
図１（Ａ）において、符号１０は、治療対象となる動物を収容しておくためのケースを示している。このケース１０は、その内部に中空な空間を有しており、この中空な空間に動物（例えば、イヌや猫、ウサギなど）を入れることができるように構成されている。
なお、ケース１０は、外部から供給される磁気を透過して、その内部に磁場が形成できるものであればよく、その素材や構造などはとくに限定されない。
【００１２】
また、符号２０は、磁気を発生できる本発明の磁気治療器を示している。図１（Ｃ）に示すように、磁気治療器２０は、その内部に磁気を発生する磁気発生器２１を複数備えており、その上面から外部に磁気を放出することができるように構成されている。つまり、磁気治療器２０は、磁気発生器２１から放出される磁気によって、その上面上方の空間に磁場を形成することができるように構成されている。
【００１３】
以上のごとき構成であるから、図１に示すように、治療対象となる動物を収容したケース１０を磁気治療器２０の上に載せれば、磁気治療器２０が発生する磁気によってケース１０内の空間に磁場を形成することができる。よって、ケース１０内の収容されている動物に対して磁気を印加して、磁気治療することができるのである。
【００１４】
また、図１（Ｂ）に示すように、治療する動物を、直接、磁気治療器２０の上に載せてもよく、この場合には、強い磁場内に動物が配置されることになるので、治療効果を高くすることができる。
【００１５】
そして、動物に対して磁気を印加した場合、人に磁気を印加したときに得られる血行の改善等の効果に加えて、原因が不明な病気である眼振や斜頸を改善することもできる。つまり、従来、治療法方が確立していなかった眼振や斜頸であっても、人以外の動物、具体的には、イヌや猫、ウサギであれば、磁気を印加することによってその症状を改善することができるのである。
【００１６】
また、後肢麻痺やヘルニアなどの病気を有する動物でも、磁気による治療効果を得ることができるから、外科的な治療を行わなくてもよくなり、動物やその飼い主に与える精神的な負担や肉体的な負担、さらには金銭的な負担を軽減させることも可能である。
【００１７】
なお、磁気治療器２０は、永久磁石を利用して静磁場を形成するものでもよいが、交流磁場を形成することができる治療器であれば磁場の変化による刺激を動物に与えることもできる。
【００１８】
また、磁気治療器２０の形状はとくに限定されず、動物やケース１０をその上に載せることができる形状であればよく、例えば、図２（Ａ）に示すように平板上でもよいし、図２（Ｂ）に示すように平板上の本体２２の周囲に壁３０を有する形状としてもよい。かかる壁３０を有する場合には、イヌや猫などであれば、ケース１０が無くてもその中に静置させやすくなる。また、壁３０の素材として磁気を遮断したり反射したりする素材を使用すれば、壁３０で囲まれた部分の磁場を、壁が無い場合に比べて強くできるので、好適である。
【００１９】
（磁気治療器２０）
つぎに、本発明の磁気治療器２０について詳細に説明する。
上述した本発明の磁気治療に使用する磁気治療器２０は、磁気発生器２１から放出される磁気によってその上面上方の空間に磁場を形成することができるように構成されていればよい。
しかし、以下のごとき構成とすれば、複数の磁気発生器２１によって囲まれた領域Ａ（図３参照）における磁場を強くすることができるから、動物（ペット）の磁場を照射したい部位に対して、強い磁気を印加することができる。
【００２０】
図３において、符号２２は動物を載せる本体を示している。この本体２２は、磁場を透過する素材によって形成されており、この本体２２内には、一対の磁極21a，21aを有する磁気発生器２１が複数設けられている。
この複数の磁気発生器２１は、一対の磁極21a，21aを結ぶ軸が放射状に並ぶように配置されている。しかも、複数の磁気発生器２１は、隣接する磁気発生器２１における隣接する磁極21a同士が、互いに逆の磁性を有するように配設されている。
【００２１】
このため、各磁気発生器２１の磁極21a間（Ｎ極とＳ極との間）だけでなく、隣接する磁気発生器２１の磁極21a間（Ｎ極とＳ極との間）でも磁力線が形成されるので（図３の点線矢印参考）、複数（図３では４つ）の磁気発生器２１の隣接する磁極21aによって囲まれた領域Ａにおける磁場を強くすることができる。
よって、動物を本体２２の上に載せて、動物の磁気を印加したい部位を領域Ａの上方に配置すれば、その部位に強い磁気を印加することができる。
【００２２】
しかも、磁場が存在する領域を広くすることができるので、動物が動き回っても、磁気を印加したい部位に対して磁気を印加できる可能性が高くなる。例えば、図３であれば、一点鎖線で囲まれた領域Ａ２、つまり、本体２２のほぼ全域に磁場が存在する状況となるので、動物が動き回っても本体２２上にいさえすれば、動物に磁気を印加することができる。
【００２３】
なお、本体２２に設ける磁気発生器２１の数はとくに限定されず、隣接する磁気発生器２１の磁極21aが互いに逆磁性に配置することができるのであれば、４個以上でもよい。
また、磁気発生器２１が交流磁場を形成することができる治療器の場合には、隣接する磁気発生器２１の磁極が互いに逆磁性となるように制御する制御回路が必要である。例えば、図３の磁気治療器２０であれば、図５に示すように、磁気発生器21A〜21Dが並列に接続されるような回路にしておけば、隣接する磁気発生器２１の磁極21aを互いに逆磁性とすることができる。
【００２４】
また、本発明の磁気治療器２０は、図３における４つの磁気発生器２１を磁気発生ユニットとした場合、この磁気発生ユニットを複数備えていてもよい。
例えば、図４に示すように、磁気発生ユニットを２つ配置し、隣接する磁気発生ユニットの隣接する磁気発生器２１における隣接する磁極21a同士が、互いに逆磁性となるように配置する。
すると、隣接する磁気発生ユニット間にも磁場を形成することができるので（図４矢印ｂ参照）、磁場が存在する領域をより一層広くすることができる。すると、本体２２上を動物が動き回っても、磁気を印加したい部位に対して磁気を印加できる可能性をより高くすることができる。
また、磁気発生ユニットを複数設ければ、磁気発生器２１が小さくても、磁場が存在する領域をより一層広くでき磁気治療器２０を大型化することもできるので、大型の動物にも適用することができる。
【実施例１】
【００２５】
本発明の磁気発生器２１によって形成される磁場を確認した。
実験は、以下の手順で行った。
まず、図６示すように４つの磁気発生器２１（交流磁気発生器）を配置し、電源を入れていない状態で、その上方に紙を配置する。そして、その紙の上に蹉跌を配置して、磁気発生器２１に電源を入れる。すると、磁場が形成されるので、その磁場によって形成される蹉跌の模様を確認した。
【００２６】
なお、実験では、磁気発生器２１の上方約４０ｍｍの位置に紙を配置した状態（図７）、磁気発生器２１の上に直接紙を載せた状態（図８）とにおいて、蹉跌の模様を確認した。
【００２７】
図７、図８は、電源を入れた直後の状態であるが、いずれの状態でも、各磁気発生器２１のＮ極とＳ極との間だけでなく、隣接する磁気発生器２１の隣接する磁極間にも磁場が形成されていることが確認できる。
このことから、本発明の磁気発生器２１では、広い領域に磁場を形成することができ、磁気発生器２１から離れた領域にも磁場が形成されていることが確認できた。
【実施例２】
【００２８】
本発明の磁気を利用したペット治療方法の治療効果を、様々な病気のペットに対し磁気を印加して確認した。
治療では、動物を治療ゲージに配置した状態で、磁気治療器から放出される磁気を動物に印加した。印加時間は、通院時は１日１回３０分、入院時は１日２回３０分である。
また、治療は、磁気の印加とともに、各症状への一般的な治療も並行して行っている。
【００２９】
図９〜１１に治療結果の表を示す。なお、図９〜１１の表において、（＋）はそれぞれ症状の有ることを意味しており、（−）はそれぞれ症状が無いことを意味している。
【００３０】
図９〜１１に示すように、症例１〜３、５、６、８、１３、１４、１７、１９は、眼振（水平または垂直）（＋）の症状を有する動物について磁気治療を行った結果であるが、全ての症例において眼振（―）となっていることが確認できる。つまり、全て動物において眼振の症状が治っていることが確認できる。しかも、眼振は、全て動物において、１週間以内に改善されていることが確認できる。よって、眼振の症状には、磁気治療が非常に有効であると確認できる。
また、症例１、３、１３、１９では、眼振とともに斜頸（＋）の症状も見られていたが、斜頸の症状も改善されていることが確認できる。よって、眼振だけでなく、斜頸の症状にも、磁気治療が非常に有効であると確認できる。
【００３１】
症例４、５、７、９〜１２、１６、１８には、下半身麻痺や後肢麻痺、ヘルニア、後肢ナックリングなどの症状を有し、歩行が困難または歩様に異常が見られる動物について磁気治療を行った結果を示している。
図９〜１１に示すように、全ての症例において歩様が改善していることが確認でき、とくに、症例４、５、７、１２では麻痺があったにも係わらず、自力で歩行でき歩様もある程度良好な状態まで改善されている。よって、麻痺等の症状に起因して歩行が困難または歩様に異常が見られる動物には、磁気治療が非常に有効であると確認できる。
【産業上の利用可能性】
【００３２】
本発明のペット治療用磁気治療器では、眼振や斜頚等の症状を有するペットの磁気治療や、後肢等が麻痺しているペットの磁気治療等に適している。
【符号の説明】
【００３３】
１０      ケース
２０      磁気治療器
２１      磁気発生器
２１ａ    磁極
【図１】
2011036633.tif 000003
【図２】
2011036633.tif 000004
【図３】
2011036633.tif 000005
【図４】
2011036633.tif 000006
【図５】
2011036633.tif 000007
【図６】
2011036633.tif 000008
【図７】
2011036633.tif 000009
【図８】
2011036633.tif 000010
【図９】
2011036633.tif 000011
【図１０】
2011036633.tif 000012
【図１１】
2011036633.tif 000013
【手続補正書】
【提出日】平成22年1月7日(2010.1.7)
【手続補正１】
【補正対象書類名】明細書
【補正対象項目名】全文
【補正方法】変更
【補正の内容】
【発明の詳細な説明】
【技術分野】
【０００１】
本発明は、磁気を利用したペット治療方法に関する。
【背景技術】
【０００２】
磁気治療器は、従来、磁場を人体等に印加することにより、血行を改善したり、血行の悪化に起因する筋肉のコリをほぐしたりする効果等を得るために使用されている。
【０００３】
一方、磁気治療器を他の症状の改善に使用することも試みられている。
例えば、特許文献１には、磁気治療器として、裏面部に、粘着剤を介して剥離紙が貼着された円形状の合成樹脂シ−トに、複数個の円盤状の永久磁石を、一定の間隔を有して埋め込んだものが開示されている。そして、この磁気治療器を腰に貼り付ければ、静磁場の作用により、変形性脊椎症や変形性腰椎症といった骨の脆弱化、変形によって生じる腰痛が緩和される旨の記載がある。例えば、特許文献１の実施例１には、磁気治療器により、椎間板ヘルニアの症状が改善された旨が記載されている。
【０００４】
しかるに、特許文献１の技術は、あくまで各症状から発生する痛みを改善するものにすぎない。つまり、これまでと同様に、血行促進効果を得ることにより各症状の痛みを緩和しているにすぎず、磁気による各症状の治療効果を証明したものではない。
【０００５】
一方、犬や猫、うさぎ等のペットも様々な病気に罹患することがあり、かかる病気の治療が行われているが、ペット等について磁気による各種病気の治療効果を試験した例はほとんどない。
また、かかるペット等の磁気治療に適した治療器具も現在のところ見当たらない。
【先行技術文献】
【特許文献】
【０００６】
【特許文献１】特開平１０−５７５１０号公報
【発明の概要】
【発明が解決しようとする課題】
【０００７】
本発明は上記事情に鑑み、ペットの病気（眼振や斜頚等）の症状を改善できる磁気を利用したペット治療方法を提供することを目的とする。
【課題を解決するための手段】
【０００８】
第１発明の磁気を利用したペット治療方法は、磁場を形成し、該磁場内に動物を配置して治療を行うペット治療方法であって、治療を行う動物が、眼振または斜頸の症状を有するものであることを特徴とする。
第２発明の磁気を利用したペット治療方法は、磁場を形成し、該磁場内に動物を配置して治療を行うペット治療方法であって、治療を行う動物が、後肢麻痺の症状を有するものであることを特徴とする。
第３発明の磁気を利用したペット治療方法は、磁場を形成し、該磁場内に動物を配置して治療を行うペット治療方法であって、治療を行う動物が、ヘルニアの症状を有するものであることを特徴とする。
第４発明の磁気を利用したペット治療方法は、第１、第２、第３または第４発明において、前記磁場が交流磁場であることを特徴とする。
【発明の効果】
【０００９】
第１発明によれば、磁気を動物に印加することができるので、磁気の影響による治療効果をえることができ、イヌや猫、ウサギなどの動物について、原因を特定されていない眼振や斜頸等の病気の症状を改善させることができる。
第２発明によれば、磁気を動物に印加することができるので、磁気の影響による治療効果をえることができ、イヌや猫、ウサギなどの動物について、後肢麻痺の症状を改善させることができる。
第３発明によれば、磁気を動物に印加することができるので、磁気の影響による治療効果をえることができ、イヌや猫、ウサギなどの動物について、ヘルニアの症状を改善させることができる。
第４発明によれば、交流磁場を使用するので、磁場の変化による刺激を動物に与えることができる。
【図面の簡単な説明】
【００１０】
【図１】本発明のペット治療方法において、ペット治療用磁気治療器２０を用いた治療状況の概略説明図である。
【図２】本発明のペット治療方法に使用するペット治療用磁気治療器２０の一例を示した図である。
【図３】本発明のペット治療方法に使用するペット治療用磁気治療器２０の概略説明図であって、（Ａ）は磁気発生器２１の配置を示した概略平面図であり、（Ｂ）は（Ａ）のＢ−Ｂ線概略断面図である。
【図４】磁気発生器２１の配置を変更した、本発明のペット治療方法に使用するペット治療用磁気治療器２０の概略説明図である。
【図５】本発明のペット治療方法に使用するペット治療用磁気治療器２０における制御回路の概略説明図である。
【図６】本発明のペット治療方法に使用するペット治療用磁気治療器２０によって磁場形成実験を行ったときにおける磁気発生器の配置を示した図である。
【図７】本発明のペット治療方法に使用するペット治療用磁気治療器２０による磁場形成実験によって形成された磁場の写真である。
【図８】本発明のペット治療方法に使用するペット治療用磁気治療器２０による磁場形成実験によって形成された磁場の写真である。
【図９】本発明のペット治療方法による治療結果を示した表である。
【図１０】本発明のペット治療方法による治療結果を示した表である。
【図１１】本発明のペット治療方法による治療結果を示した表である。
【発明を実施するための形態】
【００１１】
つぎに、本発明の実施形態を図面に基づき説明する。
図１には、本発明の磁気を利用したペット治療方法を実施する装置の一例を示している。
図１（Ａ）において、符号１０は、治療対象となる動物を収容しておくためのケースを示している。このケース１０は、その内部に中空な空間を有しており、この中空な空間に動物（例えば、イヌや猫、ウサギなど）を入れることができるように構成されている。
なお、ケース１０は、外部から供給される磁気を透過して、その内部に磁場が形成できるものであればよく、その素材や構造などはとくに限定されない。
【００１２】
また、符号２０は、磁気を発生できる本発明のペット治療方法に使用する磁気治療器を示している。図１（Ｃ）に示すように、磁気治療器２０は、その内部に磁気を発生する磁気発生器２１を複数備えており、その上面から外部に磁気を放出することができるように構成されている。つまり、磁気治療器２０は、磁気発生器２１から放出される磁気によって、その上面上方の空間に磁場を形成することができるように構成されている。
【００１３】
以上のごとき構成であるから、図１に示すように、治療対象となる動物を収容したケース１０を磁気治療器２０の上に載せれば、磁気治療器２０が発生する磁気によってケース１０内の空間に磁場を形成することができる。よって、ケース１０内の収容されている動物に対して磁気を印加して、磁気治療することができるのである。
【００１４】
また、図１（Ｂ）に示すように、治療する動物を、直接、磁気治療器２０の上に載せてもよく、この場合には、強い磁場内に動物が配置されることになるので、治療効果を高くすることができる。
【００１５】
そして、動物に対して磁気を印加した場合、人に磁気を印加したときに得られる血行の改善等の効果に加えて、原因が不明な病気である眼振や斜頸を改善することもできる。つまり、従来、治療法方が確立していなかった眼振や斜頸であっても、人以外の動物、具体的には、イヌや猫、ウサギであれば、磁気を印加することによってその症状を改善することができるのである。
【００１６】
また、後肢麻痺やヘルニアなどの病気を有する動物でも、磁気による治療効果を得ることができるから、外科的な治療を行わなくてもよくなり、動物やその飼い主に与える精神的な負担や肉体的な負担、さらには金銭的な負担を軽減させることも可能である。
【００１７】
なお、磁気治療器２０は、永久磁石を利用して静磁場を形成するものでもよいが、交流磁場を形成することができる治療器であれば磁場の変化による刺激を動物に与えることもできる。
【００１８】
また、磁気治療器２０の形状はとくに限定されず、動物やケース１０をその上に載せることができる形状であればよく、例えば、図２（Ａ）に示すように平板上でもよいし、図２（Ｂ）に示すように平板上の本体２２の周囲に壁３０を有する形状としてもよい。かかる壁３０を有する場合には、イヌや猫などであれば、ケース１０が無くてもその中に静置させやすくなる。また、壁３０の素材として磁気を遮断したり反射したりする素材を使用すれば、壁３０で囲まれた部分の磁場を、壁が無い場合に比べて強くできるので、好適である。
【００１９】
（磁気治療器２０）
つぎに、本発明のペット治療方法に使用する磁気治療器２０について詳細に説明する。
上述した本発明のペット治療方法に使用する磁気治療器２０は、磁気発生器２１から放出される磁気によってその上面上方の空間に磁場を形成することができるように構成されていればよい。
しかし、以下のごとき構成とすれば、複数の磁気発生器２１によって囲まれた領域Ａ（図３参照）における磁場を強くすることができるから、動物（ペット）の磁場を照射したい部位に対して、強い磁気を印加することができる。
【００２０】
図３において、符号２２は動物を載せる本体を示している。この本体２２は、磁場を透過する素材によって形成されており、この本体２２内には、一対の磁極21a，21aを有する磁気発生器２１が複数設けられている。
この複数の磁気発生器２１は、一対の磁極21a，21aを結ぶ軸が放射状に並ぶように配置されている。しかも、複数の磁気発生器２１は、隣接する磁気発生器２１における隣接する磁極21a同士が、互いに逆の磁性を有するように配設されている。
【００２１】
このため、各磁気発生器２１の磁極21a間（Ｎ極とＳ極との間）だけでなく、隣接する磁気発生器２１の磁極21a間（Ｎ極とＳ極との間）でも磁力線が形成されるので（図３の点線矢印参考）、複数（図３では４つ）の磁気発生器２１の隣接する磁極21aによって囲まれた領域Ａにおける磁場を強くすることができる。
よって、動物を本体２２の上に載せて、動物の磁気を印加したい部位を領域Ａの上方に配置すれば、その部位に強い磁気を印加することができる。
【００２２】
しかも、磁場が存在する領域を広くすることができるので、動物が動き回っても、磁気を印加したい部位に対して磁気を印加できる可能性が高くなる。例えば、図３であれば、一点鎖線で囲まれた領域Ａ２、つまり、本体２２のほぼ全域に磁場が存在する状況となるので、動物が動き回っても本体２２上にいさえすれば、動物に磁気を印加することができる。
【００２３】
なお、本体２２に設ける磁気発生器２１の数はとくに限定されず、隣接する磁気発生器２１の磁極21aが互いに逆磁性に配置することができるのであれば、４個以上でもよい。
また、磁気発生器２１が交流磁場を形成することができる治療器の場合には、隣接する磁気発生器２１の磁極が互いに逆磁性となるように制御する制御回路が必要である。例えば、図３の磁気治療器２０であれば、図５に示すように、磁気発生器21A〜21Dが並列に接続されるような回路にしておけば、隣接する磁気発生器２１の磁極21aを互いに逆磁性とすることができる。
【００２４】
また、本発明のペット治療方法に使用する磁気治療器２０は、図３における４つの磁気発生器２１を磁気発生ユニットとした場合、この磁気発生ユニットを複数備えていてもよい。
例えば、図４に示すように、磁気発生ユニットを２つ配置し、隣接する磁気発生ユニットの隣接する磁気発生器２１における隣接する磁極21a同士が、互いに逆磁性となるように配置する。
すると、隣接する磁気発生ユニット間にも磁場を形成することができるので（図４矢印ｂ参照）、磁場が存在する領域をより一層広くすることができる。すると、本体２２上を動物が動き回っても、磁気を印加したい部位に対して磁気を印加できる可能性をより高くすることができる。
また、磁気発生ユニットを複数設ければ、磁気発生器２１が小さくても、磁場が存在する領域をより一層広くでき磁気治療器２０を大型化することもできるので、大型の動物にも適用することができる。
【実施例１】
【００２５】
本発明のペット治療方法に使用する磁気発生器２１によって形成される磁場を確認した。
実験は、以下の手順で行った。
まず、図６示すように４つの磁気発生器２１（交流磁気発生器）を配置し、電源を入れていない状態で、その上方に紙を配置する。そして、その紙の上に蹉跌を配置して、磁気発生器２１に電源を入れる。すると、磁場が形成されるので、その磁場によって形成される蹉跌の模様を確認した。
【００２６】
なお、実験では、磁気発生器２１の上方約４０ｍｍの位置に紙を配置した状態（図７）、磁気発生器２１の上に直接紙を載せた状態（図８）とにおいて、蹉跌の模様を確認した。
【００２７】
図７、図８は、電源を入れた直後の状態であるが、いずれの状態でも、各磁気発生器２１のＮ極とＳ極との間だけでなく、隣接する磁気発生器２１の隣接する磁極間にも磁場が形成されていることが確認できる。
このことから、本発明の磁気発生器２１では、広い領域に磁場を形成することができ、磁気発生器２１から離れた領域にも磁場が形成されていることが確認できた。
【実施例２】
【００２８】
本発明の磁気を利用したペット治療方法の治療効果を、様々な病気のペットに対し磁気を印加して確認した。
治療では、動物を治療ゲージに配置した状態で、磁気治療器から放出される磁気を動物に印加した。印加時間は、通院時は１日１回３０分、入院時は１日２回３０分である。
また、治療は、磁気の印加とともに、各症状への一般的な治療も並行して行っている。
【００２９】
図９〜１１に治療結果の表を示す。なお、図９〜１１の表において、（＋）はそれぞれ症状の有ることを意味しており、（−）はそれぞれ症状が無いことを意味している。
【００３０】
図９〜１１に示すように、症例１〜３、５、６、８、１３、１４、１７、１９は、眼振（水平または垂直）（＋）の症状を有する動物について磁気治療を行った結果であるが、全ての症例において眼振（―）となっていることが確認できる。つまり、全て動物において眼振の症状が治っていることが確認できる。しかも、眼振は、全て動物において、１週間以内に改善されていることが確認できる。よって、眼振の症状には、磁気治療が非常に有効であると確認できる。
また、症例１、３、１３、１９では、眼振とともに斜頸（＋）の症状も見られていたが、斜頸の症状も改善されていることが確認できる。よって、眼振だけでなく、斜頸の症状にも、磁気治療が非常に有効であると確認できる。
【００３１】
症例４、５、７、９〜１２、１６、１８には、下半身麻痺や後肢麻痺、ヘルニア、後肢ナックリングなどの症状を有し、歩行が困難または歩様に異常が見られる動物について磁気治療を行った結果を示している。
図９〜１１に示すように、全ての症例において歩様が改善していることが確認でき、とくに、症例４、５、７、１２では麻痺があったにも係わらず、自力で歩行でき歩様もある程度良好な状態まで改善されている。よって、麻痺等の症状に起因して歩行が困難または歩様に異常が見られる動物には、磁気治療が非常に有効であると確認できる。
【産業上の利用可能性】
【００３２】
本発明の磁気を利用したペット治療方法では、眼振や斜頚等の症状を有するペットや、後肢等が麻痺しているペットの治療に適している。
【符号の説明】
【００３３】
１０      ケース
２０      磁気治療器
２１      磁気発生器
２１ａ    磁極
【手続補正２】
【補正対象書類名】特許請求の範囲
【補正対象項目名】全文
【補正方法】変更
【補正の内容】
【特許請求の範囲】
【請求項１】
磁場を形成し、該磁場内に動物を配置して治療を行うペット治療方法であって、
治療を行う動物が、眼振または斜頸の症状を有するものである
ことを特徴とする磁気を利用したペット治療方法。
【請求項２】
磁場を形成し、該磁場内に動物を配置して治療を行うペット治療方法であって、
治療を行う動物が、後肢麻痺の症状を有するものである
ことを特徴とする磁気を利用したペット治療方法。
【請求項３】
磁場を形成し、該磁場内に動物を配置して治療を行うペット治療方法であって、
治療を行う動物が、ヘルニアの症状を有するものである
ことを特徴とする磁気を利用したペット治療方法。
【請求項４】
前記磁場が交流磁場である
ことを特徴とする請求項１、２、３または４記載の磁気を利用したペット治療方法。